(57)【特許請求の範囲】
【請求項１】
人体局部を洗浄する洗浄手段が設けられる袖部を有さないベースプレートと、
前記ベースプレートと組み合わされて前記洗浄手段を覆い、袖部を有するベースカバーと、
前記ベースカバーの前記袖部の表面に貼付けられ、操作部を有するメンブレンスイッチと
を備える人体局部洗浄装置。
【請求項２】
前記ベースカバーは、前記メンブレンスイッチからの配線を前記ベースカバーの内部に通す配線通し穴を有することを特徴とする請求項１に記載の人体局部洗浄装置。
【請求項３】
前記ベースカバーは、前記袖部の内部に補強リブを有することを特徴とする請求項１又は請求項２のいずれかに記載の人体局部洗浄装置。
【発明の詳細な説明】
【技術分野】
【０００１】
本発明は、人体局部の洗浄、乾燥、脱臭等の機能を操作する操作部をベースカバーの袖部に備える人体局部洗浄装置に関する。
【背景技術】
【０００２】
従来技術として、図５の人体局部洗浄装置４０がある。人体局部洗浄装置４０は、ベースカバー４１と、ベースプレート４２と、操作部４３と、を備える。ベースカバー４１は、袖部４４を備え、袖部４４には操作部４３が設けられる。操作部４３は、袖部４４の内部に設けられスイッチを有する操作基板４５と、袖部４４の表面に貼り付けられる操作銘板４６と、を備える構成である。操作基板４５は、ネジ４７によりベースカバー４１の袖部４４の内部に取り付けられる。人体局部洗浄装置４０は、ベースカバー４１の袖部４４の内部に操作基板４５を備えるため、操作基板４５への水、洗剤、ゴミの浸入防止、使用者等の操作基板４５への接触防止、を目的に、ベースカバー４１の袖部４４の裏側をベースプレート４２の袖部４８で蓋をする構成である。
【０００３】
また、便器と、便器上に載置される便座と、人体局部を洗浄する洗浄手段と、洗浄手段を備えたベースカバーとベースプレートとを有する本体と、本体の操作部近傍に開口された開口部と、開口部に係合可能なスイッチカバーと、操作部下方にはスイッチが配設された操作基板と、本体と一体成形されたキートップと、を備え、キートップの押圧によりスイッチが切換可能とする人体局部洗浄装置がある（例えば、特許文献１参照。）。
【先行技術文献】
【特許文献】
【０００４】
【特許文献１】特開２０００−１２９７５０号公報
【発明の概要】
【発明が解決しようとする課題】
【０００５】
しかしながら従来技術の人体局部洗浄装置では、人体局部洗浄装置の操作部を組み立てるのに、ベースカバーの袖部内部に操作基板を取り付けて、ベースカバーの袖部表面に操作銘板であるフィルムを貼り、ベースプレートでベースカバーの袖部裏を蓋をする必要があり、部品点数が多く組み立て工数がかかる問題がある。また、ベースカバーの操作部の有り／無しに応じて、ベースプレートも袖部有り／無しの２種類を用意する必要がある。
【０００６】
本発明は上記問題点に鑑みて成されたものであり、従来と比べて部品点数と操作部の組み立て工数とが少なく、ベースカバーの操作部の有り／無しに係わらずベースカバーの袖部裏をベースプレートで蓋をする必要がなく、ベースプレートは袖部無しの１種類で対応が可能な人体局部洗浄装置を提供することを目的とする。
【課題を解決するための手段】
【０００７】
本発明の第１の課題解決手段は、人体局部を洗浄する洗浄手段が設けられる袖部を有さないベースプレートと、前記ベースプレートと組み合わされて前記洗浄手段を覆い、袖部を有するベースカバーと、前記ベースカバーの前記袖部の表面に貼付けられ、操作部を有するメンブレンスイッチとを備える構成である。
【０００８】
また、本発明の第２の課題解決手段は、前記ベースカバーは、前記メンブレンスイッチからの配線を前記ベースカバーの内部に通す配線通し穴を有する構成である。
【０００９】
また、本発明の第３の課題解決手段は、前記ベースカバーは、前記袖部の内部に補強リブを有する構成である。
【発明の効果】
【００１０】
本発明の人体局部洗浄装置では、操作部を有するメンブレンスイッチは、ベースカバーの袖部の表面に貼付けられる構成で、ベースカバーの袖部内部にはスイッチが配設された操作基板等が無く、ベースカバーの外側から取り付けることが可能である。また、操作基板への水等の浸入防止、使用者等の接触防止を目的に、ベースカバーの袖部裏をベースプレートで蓋をする必要がない。また、ベースプレートは、袖部無しの１種類でよい。これにより部品点数の削減と部品の共通化により、組み立て工数と型費とを削減でき、従来と比べてコスト低減効果が得られる。さらに、ベースカバーの袖部内部には、操作基板等が無いので、袖部を薄くすることが可能で、袖部形状のデザインの自由度が高まり、意匠性が向上する。
【００１１】
また、ベースカバーは、メンブレンスイッチからの配線をベースカバーの内部に通すための配線通し穴を有するため、ベースカバーの外側にあるメンブレンスイッチの洗浄、乾燥、脱臭等の操作を、ベースカバーの内部の制御基板に伝えることができる。
【００１２】
また、ベースカバーの袖部内部は、補強リブを有する構成のため、ベースカバーの袖部裏をベースプレートで蓋をしなくても、ベースカバーの袖部強度を維持でき、使用者が操作部を操作する際のベースカバー袖部の撓み、捩れを防止できる。
【図面の簡単な説明】
【００１３】
【図１】本発明の人体局部洗浄装置の組立図である。
【図２】本発明のベースカバーの袖部表側からの斜視図である。
【図３】本発明のベースカバーの袖部裏側からの斜視図である。
【図４】本発明のメンブレンスイッチの操作部の構成を示す断面図である。
【図５】従来の人体局部洗浄装置の組立図である。
【発明を実施するための形態】
【００１４】
以下に本発明の実施の形態を図面に基づいて詳細に説明する。
【００１５】
図１は、本発明の人体局部洗浄装置１の組立図である。人体局部洗浄装置１は、図示しない便器本体に載置されるベースプレート１０と、ベースプレート１０と組み合わされ袖部を有するベースカバー２０と、ベースカバー２０の袖部２１の表面に貼付けられるメンブレンスイッチ３０とから構成される。
【００１６】
ベースプレート１０には、人体局部を洗浄する洗浄ノズル１１（洗浄手段）や、洗浄、乾燥、脱臭等を制御する図示しない制御基板が設けられる。ベースカバー２０は、洗浄ノズル１１と制御基板を覆うようにベースプレート１０と一体に組み合わされる。メンブレンスイッチ３０は、洗浄、乾燥、脱臭等の操作部３１が設けられ、ベースカバー２０の袖部２１の貼付け面２３にベースカバー２０の外側から貼付けられる。メンブレンスイッチ３０は、ベースカバー２０の内部の制御基板と接続する配線３２を備える。
【００１７】
図２は、本発明のベースカバー２０の袖部２１の表側からの斜視図である。ベースカバー２０は、ベースカバー２０の袖部２１の表側に貼付け面２３を有し、貼付け面２３の袖部２１の付け根付近には、メンブレンスイッチ３０からの配線３２をベースカバーの内部の制御基板が設けられる空間と連通する配線通し穴２２が形成される。配線通し穴２２は、メンブレンスイッチ３０が貼付け面２３に張付いた状態では、使用者から視認できない位置に設けられる。配線通し穴２２と配線３２との間は、接着剤２４で封止される構造である。
【００１８】
図３は、本発明のベースカバー２０の袖部２１の裏側からの斜視図である。ベースカバー２０の袖部２１の内部は、格子状の補強リブ２５を備える。ベースカバー２０は樹脂製で、配線通し穴２２と補強リブ２５はベースカバー２０が樹脂成形される際に一体で設けられる。袖部２１の内部は、スイッチが配設された操作基板等を備えない構成である。ベースカバー２０の裏側は常に開放された状態で、袖部２１の裏側からは補強リブ２５が視認可能であるが、通常使用の袖部２１の表側からは補強リブ２５は視認不可である。また、配線通し穴２２は、貼付け面２３とベースカバー２０の内部の制御基板が設けられる空間とをダクト状に繋ぐ形状のため、袖部２１の裏側から配線３２は視認不可である。
【００１９】
図４は、本発明のメンブレンスイッチ３０の構成を示す断面図である。メンブレンスイッチ３０は、上部接点シート３３と下部接点シート３４との間にスペーサー３５を挟んで貼合わせた構成である。上部接点シート３３の全面は、ポリエステル製でエボンス加工され、使用者が洗浄、乾燥、脱臭等の操作を行う操作銘板シート３６が貼合わされる。また、下部接点シート３４の全面は、粘着シート３７が貼合わされる。メンブレンスイッチ３０は、表面全体を操作銘板シート３６で覆われるため、防水性、防塵性に優れる。
【００２０】
使用者がエボンス加工された洗浄、乾燥、脱臭が表示された操作銘板シート３６を押圧すると、操作銘板シート３６は弾性変形して上部接点シート３３を下部接点シート３４方向に変位する。そして上部接点シート３３の接点３８と下部接点シート３４の接点３９が接触して導通状態になる。使用者が操作銘板シート３６から手を離すと、操作銘板シート３６は押圧前の形状に戻り、上部接点シート３３の接点３８と下部接点シート３４の接点３９が離れて絶縁状態になる。このときの導通／絶縁状態の信号が配線３２により制御基板に送られる。
【００２１】
次に人体局部洗浄装置１の操作部３１の組み立て手順について説明する。メンブレンスイッチ３０に設けられた配線３２は、配線通し穴２２を通り、ベースカバー２０の内部でベースプレート１０に設けられた制御基板に接続される。配線通し穴２２と配線３２の間は接着剤２４で封止される。メンブレンスイッチ３０は、粘着のシート３７によりベースカバー２０の貼付け面２３に外側から貼付けられる。そしてベースカバー２０は、洗浄ノズル１１を覆うようにベースプレート１０に一体に組み付けられる。
【００２２】
本発明の人体局部洗浄装置１では、操作部３１を有するメンブレンスイッチ３０は、ベースカバー２０の袖部２１の表面の貼付け面２３に貼付けられる構成で、ベースカバー２０の外側から取り付けることができる。袖部２１の内部には、スイッチが配設された操作基板等が無いため、操作基板への水等の浸入防止、使用者等の接触防止を目的に、ベースカバー２０の袖部２１の裏側をベースプレート１０で蓋をする必要がない。よってベースプレート１０は、袖部無しの１種類でよい。これにより部品点数の削減と部品の共通化により、組み立て工数と型費とを削減でき、従来と比べてコスト低減効果が得られる。さらに、ベースカバー２０の袖部２１の内部に操作基板等が無いため、袖部２１を薄くすることが可能となり、袖部２１のデザインの自由度が高く、意匠性が向上する。
【００２３】
また、ベースカバー２０は、メンブレンスイッチ３０からの配線３２をベースカバー２０の内部に通すための配線通し穴２２を有するため、ベースカバー２０の外側にあるメンブレンスイッチ３０の操作部３１の洗浄、乾燥、脱臭等の操作を、ベースカバー２０の内部の制御基板に伝えることができる。配線通し穴２２の配線３２との間を接着剤２４で封止することで、配線通し穴２２を通じてベースカバー２０の内部のベースプレート１０に設けられた制御基板に水等が浸入することを防止できる。
【００２４】
また、ベースカバー２０の袖部２１の内部には、補強リブ２５が一体で形成されるため、ベースカバー２０の袖部２１の裏をベースプレート１０で蓋をしなくても、ベースカバー２０の袖部２１の強度を維持でき、使用者が操作部３１を操作する際の袖部２１の撓み、捩れを防止できる。
【符号の説明】
【００２５】
１  人体局部洗浄装置
１０  ベースプレート
１１  洗浄ノズル（洗浄手段）
２０  ベースカバー
２１  袖部
２２  配線通し穴
２５  補強リブ
３０  メンブレンスイッチ
３１  操作部
３２  配線
【図１】
0005609435.tif 000002
【図２】
0005609435.tif 000003
【図３】
0005609435.tif 000004
【図４】
0005609435.tif 000005
【図５】
0005609435.tif 000006